(57)【特許請求の範囲】
【請求項１】
インターネットに接続される情報サーバに記憶された情報データを受信するインターネット受信装置において、
起動情報が存在するとき、前記インターネット受信装置で処理することが可能な情報データが検索される情報サーバを識別する集合的なアドレス情報を前記インターネットに接続されたアドレスサーバから検索されるアドレス検索手段、
前記検索された集合的なアドレス情報によって識別された情報サーバから前記処理することが可能な情報データを検索する情報検索手段、及び
前記情報検索手段により検索及び受信される前記情報データを検査し、前記受信される情報データの品質が品質しきい値より下にある又は前記インターネット受信装置で処理することが可能な情報データが前記情報サーバから受信されないとき、前記起動情報を前記アドレス検索手段へ供給する品質検査手段、
を有するインターネット受信装置。
【請求項２】
定期的に発生する起動の瞬間に、前記集合的なアドレス情報を検索するために、前記起動情報を前記アドレス検索手段に供給するタイマー手段が供給される請求項１に記載のインターネット受信装置。
【請求項３】
前記インターネット受信装置で処理することが可能な情報データが検索される他の情報サーバの前記アドレス情報を手動で情報入力するエントリ手段が供給される請求項１に記載のインターネット受信装置。
【請求項４】
前記起動情報が存在するとき、情報サーバに記憶されるが、インターネット受信装置では処理できない情報データを当該インターネット受信装置で処理することが可能な情報データにトランスコードするトランスコーディングサーバを識別するトランスコーディングアドレス情報を前記アドレスサーバから検索し、前記情報検索手段は、前記トランスコーディングアドレス情報により識別される前記トランスコーディングサーバから前記インターネット受信装置で処理することが可能な前記情報データを検索する、請求項１に記載のインターネット受信装置。
【請求項５】
前記起動情報が存在する時間中に、前記インターネット受信装置の情報データ処理手段にノイズ情報を送信するノイズ発生手段が供給される請求項１に記載のインターネット受信装置。
【請求項６】
前記起動情報が存在するとき、前記アドレス検索手段は、インターネットに接続された少なくとも２つのアドレスサーバから集合的なアドレス情報の少なくとも２つのアイテムを検索する請求項１に記載のインターネット受信装置。
【請求項７】
インターネット受信装置は、情報データ形式でオーディオ／ビデオデータを受信及び処理するインターネットテレビジョンセットにより形成される請求項１に記載のインターネット受信装置。
【発明の詳細な説明】
【０００１】
【発明の属する技術分野】
本発明は、インターネットに接続される情報サーバに記憶された情報データを受信し、この受信された情報データを再生するインターネット受信装置に関する。
【０００２】
【従来の技術】
冒頭の段落に規定された形式の上記インターネット受信装置は、Kerbango社によって市場に出されている。既知のインターネットラジオは、このインターネットラジオが電話線に接続される検索手段を有している。このインターネットラジオがユーザによってつけられる度に、この検索手段はインターネットへのアクセスを提供するローカルサービスプロバイダの番号に電話をする。インターネットラジオをつけるときの接続時間の後、一旦インターネットへのアクセスが確立されると、検索手段は、インターネットに接続されたアドレスサーバから集合的なアドレス情報を検索する。
【０００３】
アドレスサーバは、Kerbango社によって運営されている。このアドレスサーバのインターネットアドレスは、インターネットラジオの製造時、インターネットラジオの検索手段に既に記憶される。アドレスサーバは、インターネットラジオにより処理される符号化される及び符号化されない音声データを記憶する情報サーバの集合的なアドレス情報を記憶する。このアドレスサーバは、定期的な検査の瞬間に、インターネットラジオにより処理される音声データが記憶される集合的なアドレス情報により識別される情報サーバから依然として受信されているかをチェックする。
【０００４】
このために、アドレスサーバは、記憶される集合的なアドレス情報により識別された情報サーバから受信される音声データが検査の瞬間において品質しきい値より超えているかをチェックする品質検査手段を有する。この検査された音声データの品質が品質しきい値を超えているとき、検出された品質値は、この情報サーバのアドレス情報と一緒にアドレスサーバに記憶され、要求時にインターネットラジオに供給される。この検査された音声データの品質が品質しきい値より下にあるとき、ラベル“Server Down”がこの情報サーバのアドレス情報と共に記憶され、要求時にインターネットラジオに供給される。
【０００５】
【発明が解決しようとする課題】
インターネットラジオをつけた後、ユーザは初めに、インターネットとの接続を確立する接続時間及び次いでアドレスサーバから集合的なアドレス情報を検索するアドレス検索時間が、所望する音声データが前記情報サーバから検索され、最後にユーザに対し音響的に再生される前に終了するまで待つべきことが既知のインターネットラジオの欠点であると示される。
【０００６】
例えば、送信問題の結果として、集合的なアドレス情報により識別される情報サーバから検索される音声データの品質値が品質しきい値より下にある、又は最後の検査の瞬間以降に情報サーバのアドレス情報が変化する結果として、音声データが全く受信できない場合、ユーザは、インターネットラジオによって音声データの満足のいく品質値の表示を依然として受信するが、インターネットラジオが何ら音声を発しないという更なる欠点が示される。
【０００７】
【課題を解決するための手段】
本発明の目的は、上述の欠点を排除するインターネット受信装置を提供することである。この目的を達成するために、本発明に従う特徴的な特性は、インターネット受信装置が以下に規定されるように特徴付けられるやり方で上記のようなインターネット受信装置に供給される。
【０００８】
インターネットに接続される情報サーバに記憶された情報データを受信するインターネット受信装置であって、この装置は、起動情報(activation information)が存在するとき、前記インターネット受信装置で処理することが可能である情報データが検索される情報サーバを識別する集合的なアドレス情報をインターネットに接続されるアドレスサーバから検索するアドレス検索手段と、検索された集合的なアドレス情報により識別される情報サーバから処理可能な情報データを検索する情報検索手段と、前記情報検索手段により検索及び受信された情報データを検査し、この受信された情報データの品質が品質しきい値より下にある、又はインターネット受信装置で処理することが可能である情報データが前記情報サーバから受信されないときに、アドレス検索手段に起動情報を供給する品質検査手段とを有する。
【０００９】
従って、インターネット受信装置は、受信される情報データの品質を連続して監視し、情報データが受信されない又は低い品質の情報データしか受信されない場合、アドレスサーバから最新の集合的なアドレス情報を検索することだけを必要とすることが達成される。この結果、普通では不必要なアドレス情報の検索が避けられ、これが両方のデータ送信費用を節約し、インターネット受信装置をつけた後のアドレス検索時間が削除されることも利点となる。
【００１０】
請求項２の方策は、アドレスサーバから検索された集合的なアドレス情報に従ってアドレス検索手段に記憶された集合的なアドレス情報を更新するために、インターネット受信装置のタイマー手段は、起動情報をアドレス検索手段に、例えば１日１回又は週に１回供給するという利点を有する。
【００１１】
請求項３の方策は、アドレスサーバの運営者によって無視された情報サーバに関するアドレス情報を手動で加えることも可能であるという利点を有する。
【００１２】
請求項４の方策に従って、インターネット受信装置は、トランスコーディングサーバにより提供されるトランスコーディングサービスも利用する。このトランスコーディングサーバは、インターネット受信装置では扱うことができないある符号化方法に従って符号化された情報データをインターネット受信装置で扱うことができる第２の符号化方法に従って符号化された情報データにトランスコーディングする。これは、インターネット受信装置が大量の異なる情報データを再生することが可能であるという利点を生じさせる。
【００１３】
請求項５の方策は、ユーザにより選択された情報サーバからの情報データが満足のいく品質で再生されない場合、ユーザはフィードバックを受けるという利点を有する。
【００１４】
請求項６の方策は、インターネット受信装置が複数のアドレスサーバのアドレス情報を検索することが可能であり、この結果、ユーザは多数の放送局及び他の局から選択することが可能であるという利点を有する。
【００１５】
本発明の他の特徴と上述される特徴とは、以下に記載される実施例から明らかであり、この実施例の助けを借りて説明を行う。
【００１６】
【発明の実施の形態】
本発明は、例として図に示されるが、本発明を制限するものではない実施例を参照して以下に詳細に説明される。
【００１７】
図１は、サービスプロバイダを介してインターネットＮＥＴに接続されるインターネットラジオ１を示す。多数の情報サーバは、第１情報サーバ３、第２情報サーバ４及び第３情報サーバ５によって示されている。複数のラジオ局のラジオ番組の音声データＡＤにより形成される情報データは、前記情報サーバ３、４及び５から連続するデータストリームにおいて検索される。
【００１８】
従って、第１情報サーバ３からラジオ局“OE3”の第１音声データＡＤ１を検索し、第２情報サーバ４からラジオ局“CNN-Radio”の第２音声データＡＤ２を検索し、第３情報サーバ５からラジオ局“DE-Radio”の第３音声データＡＤ３を検索する。これら第１音声データＡＤ１及び第２音声データＡＤ２は“リアルオーディオ”符号化方法に従って符号化され、第３音声データＡＤ３は“ＭＰ３”符号化方法に従って符号化されている。“リアルオーディオ”符号化方法及び“ＭＰ３”符号化方法は一般的に知られているので、これらを詳細には説明しない。
【００１９】
その上、アドレスサーバ６はインターネットＮＥＴに接続され、上記情報サーバのインターネットアドレスを記憶している。既定の型式（音声データ、ビデオデータ、テキストデータ…）からなり、既定の符号化を持つ情報データは、このサーバから、これらの情報データがこれらの情報サーバによって利用可能となるために検索可能である。６時間毎に１度、既定のサーチ基準を用いて、アドレスサーバ６は、インターネットＮＥＴに接続され、前記既定の型式及び符号化からなる情報データも供給する新しい情報サーバに対し走査を行う。このアドレスサーバは、現在まで集合的なアドレス情報ＡＳＩとして見つけられたインターネットアドレスと一緒に、これにより見つけられた情報サーバのインターネットアドレスを記憶する。このアドレスサーバ６は、集合的なアドレス情報ＡＳＩとして記憶されたインターネットアドレスが依然として有効であるかのチェックも行う。この定期的な走査は、アドレスサーバ６の管理者によって支援されてもよい。
【００２０】
アドレスサーバ６は、インターネットラジオ１の製造業者によって操作され、このインターネットラジオ１が、記憶された集合的なアドレス情報ＡＳＩの検索を介して、インターネットラジオ１で処理することが可能である情報データを供給するインターネットＮＥＴ上に前記アドレス情報の情報サーバを見つけることを可能にする。このために、アドレスサーバ６は、第１情報サーバ３及び第２情報サーバ４のインターネットアドレスを第１の集合的なアドレス情報ＡＳＩ１として記憶し、これらサーバから、“リアルオーディオ”符号化方法に従い符号化されたラジオ局からの音声データＡＤが利用可能である。その上、アドレスサーバ６は、第３情報サーバ５のインターネットアドレスを第２の集合的なアドレス情報ＡＳＩ２として記憶し、このサーバから、“MP3”符号化方法に従い符号化されたラジオ局“DE-Radio”の音声データＡＤ３が利用可能である。
【００２１】
インターネットラジオ１は、ここで、起動情報ＡＫＩが存在するときにアドレスサーバ６から前記第１の集合的なアドレス情報ＡＳＩ１を検索するアドレス検索手段７を含んでいる。このために、このアドレス検索サーバ７は、インタフェース８、制御手段９及びアドレスサーバメモリ手段１０を含む。このインタフェース８は、一般に知られるように、専用のデータ線を介してサービスプロバイダに接続され、イーサネット（Ｒ）プロトコルを実行する。
【００２２】
この専用のデータ線に最初にプラグインされるとき、インタフェース８は、イーサネット（Ｒ）プロトコルに従い、インタフェース８のイーサネット（Ｒ）カード番号をサービスプロバイダ２に送信する。その後、サービスプロバイダ２は、ＩＮＰＵＴアドレスをインターネットラジオ１に割り当て、これをＨＤＣプロトコルに従いインタフェース８へ送信する。この瞬間から、検索情報は、TCP/INPUTプロトコルに従い１００Ｍビット／秒で送信される。この結果として、インタフェースとしてモデムを用いた電話接続の場合はそうであるように、インタフェース８とサービスプロバイダ２との間の接続を構築することにより生じる、インターネットＮＥＴからの情報の検索に関する遅延は存在しない。このログイン手順及び専用のデータ線を介した情報の転送は随分前から知られていて、本発明に関して適当ではないために、この件はこれ以上詳しくは説明しない。
【００２３】
インターネットラジオ１の製造中、アドレスサーバ６のインターネットアドレスは、製造業者により更新される集合的なアドレス情報ＡＳＩを検索可能にするために、アドレスサーバメモリ手段１０に記憶されている。起動情報ＡＫＩは、このアドレスサーバメモリ手段１０からアドレスサーバ６のインターネットアドレスを読み取り、第１検索情報ＡＢＩ１を生成するために、制御手段９に与えられる。この生成された第１検索情報ＡＢＩ１は、インターネットラジオ１の装置型式を識別し、インタフェース８、サービスプロバイダ２及びインターネットＮＥＴを介して、アドレスサーバ６へ転送される。
【００２４】
第１検索情報ＡＢＩ１の受信時に、アドレスサーバ６は、インターネットラジオ１で処理することが可能な型式及び符号化の情報データを供給する情報サーバを識別する集合的なアドレス情報ＡＳＩを検出する。この検出された集合的なアドレス情報ＡＳＩは、この集合的なアドレス情報ＡＳＩにより識別された情報サーバを介して利用可能なラジオ局の名前も含んでいる。
【００２５】
アドレスサーバ６により検出された第１の集合的なアドレス情報ＡＳＩ１は、インターネットＮＥＴ及びサービスプロバイダ２を介してアドレスサーバ６からインターネットラジオ１へ転送される。制御手段９によりインタフェース８を介して受信される第１の集合的なアドレス情報ＡＳＩ１は、インターネットラジオ１の情報サーバメモリ手段１１に記憶される。この情報サーバメモリ手段１１、インタフェース８及び制御手段９はそれ故に、以下により詳細に説明されるような、インターネットラジオ１で処理することが可能である情報データを検索する情報検索手段１２を形成する。
【００２６】
インターネットラジオ１は更に、キーパッド１３及び表示器１４を有する。キーパッド１３のキーを操作することにより、インターネットラジオ１のユーザは、幾つかのラジオ局の選択肢から１つのラジオ局を選択することが可能である。このために、表示器１４は、情報サーバメモリ手段１１に記憶された第１の集合的なアドレス情報ＡＳＩ１によって識別されたラジオ局の名前を表示する。このインターネットラジオ１のユーザが１つのラジオ局を選択したとき、この選択されたラジオ局を識別するエントリ情報ＥＩがキーパッド１１から制御手段９に転送される。
【００２７】
このエントリ情報ＥＩを受信したとき、制御手段９は、第２検索情報ＡＢＩ２を生成し、この情報は、選択されたラジオ局とこのラジオ局からの音声データＡＤを供給する情報サーバのインターネットアドレスとを識別する。この第２検索情報ＡＢＩ２は、制御手段９からインタフェース８、サービスプロバイダ２及びインターネットＮＥＴを介して、第２検索情報ＡＢＩ２のインターネットアドレスにより識別される情報サーバに転送される。その結果、この情報サーバは、第２検索情報ＡＢＩ２により識別されたラジオ局からの音声データを連続するデータストリームとしてインターネットラジオ１へ供給する。
【００２８】
インターネットラジオ１はここで、情報検索サーバ１２によって要求及び受信された音声データＡＤを検査し、この受信された音声データＡＤの品質が品質しきい値より下に落ち込む又は情報サーバがインターネットラジオで処理することが可能な音声データＡＤを何も受信しないとき、起動情報ＡＫＩを制御手段９へ供給する品質検査手段１５を含む。
【００２９】
この品質しきい値は、このとき、既定のジッタ値又は既定のパケット誤り率として規定されてもよい。このパケット誤り率は、受信された音声データＡＤの連続するデータストリームにおいて予想されるデータパケットのパーセンテージであり、このパケットは受信された音声データＡＤの処理が実質上できなくなるまで、失うことが許される。
【００３０】
インターネットラジオ１は更に、“リアルオーディオ”符号化方法に従い符号化された音声データＡＤを処理する情報処理手段１６を有する。このために、この情報処理手段１６は、とりわけ受信された音声データＡＤを記憶するためのバッファメモリとしてフラッシュラム(FRASH RAM)を含み、このバッファメモリの記憶容量は、このバッファメモリからの音声を最大４秒再生することを許容する。ジッタ値は、バッファメモリの記憶容量で連続する音声の再生を保証するように、受信された連続するデータストリームのデータ転送レート（例えば１００Ｍビット／秒←→２Ｍビット／秒）がどの位強く変動することを許可するかを示している。
【００３１】
品質検査手段１５による検査が、受信された音声データＡＤの品質が品質しきい値より超えていることが分かったとき、この品質検査手段１５は、符号化された音声データＡＤを情報処理手段１６へ供給する。
【００３２】
符号化された音声データＡＤが受信されたとき、情報処理手段１６は、この符号化された音声データＡＤを復号し、この復号された音声データは、情報処理手段１６のＤ／Ａ変換器に与えられる。このＤ／Ａ変換器により供給されるアナログ音声信号ＡＳは、その後増幅され、情報処理手段１６からインターネットラジオ１のスピーカ１７へ与えられる。
【００３３】
インターネットラジオ１の動作及びこのラジオの利点は、図１に示される第１実施例を参照して以下に説明する。この実施例において、ユーザはラジオ局“CNN-Radio”の番組を聞きたいと思い、キーパッド１３のキーを動かすことによりこのラジオ局を選択すると仮定する。その結果、このラジオ局“CNN-Radio”を識別するエントリ情報ＥＩがキーパッド１３から制御手段９に与えられる。制御手段９はその後、その前日にアドレス情報６から既に検索され、情報サーバメモリ手段１１に記憶された第１の集合的なアドレス情報ＡＳＩ１を読み取り、ラジオ局“CNN-Radio”からの第２音声データＡＤ２を供給する第２情報サーバ４のインターネットアドレスを決める。
【００３４】
制御手段９はその後、ラジオ局“CNN-Radio”を識別する第２検索情報ＡＢＩ２をインターネットＮＥＴを介して第２情報サーバ４へ転送する。その後、第２情報サーバ４は、ラジオ局“CNN-Radio”からの第２音声データＡＤ２を連続するデータストリームとしてインターネットラジオ１に供給する。受信された第２音声データＡＤ２の品質が満足のいくものであると仮定すると、この結果、第２音声データＡＤ２は、品質検査手段１５から情報処理手段１６に転送され、ラジオ局“CNN-Radio”の現在のラジオ番組がスピーカ１７により音響的に再生される。
【００３５】
これは、インターネットに接続された情報サーバによって利用可能となるラジオ番組が特に簡単なやり方でインターネットラジオ１により再生され得るという利点を有する。これは、ユーザによって他のラジオ局が選択される度に、インターネットラジオ１がアドレスサーバ６から第１の集合的なアドレス情報ＡＳＩ１を検索する必要がなくなることを可能にする。これは、ユーザにとってコストアップとなる不必要なデータの転送を省く。ラジオ局を変更する度に集合的なアドレス情報の検索を待つ必要が無くなったユーザにとって時間の節約となる更なる利点が得られる。しかしながら、これは特に、例えば技術的理由のとき、第１の集合的なアドレス情報ＡＳＩ１がアドレスサーバ６から検索できない場合に有利となる。
【００３６】
本実施例の第２実施例において、ラジオ局“OE3”の音声データＡＤ１を供給する第１情報サーバ３のインターネットアドレスが変化したと仮定する。更に、ラジオ局“OE3”の現在のラジオ番組を聴くために、キーパッド１３のキーを操作することでユーザはラジオ局“OE3”を選択すると仮定する。しかしながら、その前日にアドレスサーバ６から検索され、情報サーバメモリ手段１１により記憶された第１の集合的なアドレス情報ＡＳＩ１は、そのアドレスはもはや無効である、第１情報サーバ３の古いインターネットアドレスを依然として含んでいる。
【００３７】
情報検索手段１２はその後、第１実施例に記載されたように、第１情報サーバ３から第１音声データＡＤ１を検索しようと試みる。第１情報サーバ３のインターネットアドレスはもはや無効であるから、情報検索手段１２は、品質検査手段１５により検出された音声データＡＤを受信しない。それに応じて、品質検査手段１５は、更新すべき情報サーバメモリ手段１１に記憶された第１の集合的なアドレス情報ＡＳＩ１を生じさせるために、起動情報ＡＫＩを制御手段９に供給する。
【００３８】
上述されたように、制御手段９は、アドレスサーバメモリ手段１０からアドレスサーバ６のインターネットアドレスを読み取り、このアドレスサーバ６から更新された第１の集合的なアドレス情報ＡＳＩ１を検索する。この検索された第１の集合的なアドレス情報ＡＳＩ１は次いで、情報サーバメモリ手段１１に記憶され、制御手段９は、第１の集合的なアドレス情報ＡＳＩ１から第１情報サーバ３の新しいインターネットアドレスを得る。
【００３９】
次いで制御手段９は更に、第１情報サーバ３の正確なインターネットアドレスを含む第２検索情報ＡＢＩ２を生成する。第１情報サーバ３により供給される第１音声データＡＤ１の連続するデータストリームはここで品質検査手段１５により検査される。この検査は、第１音声データＡＤ１の品質が満足いくものであることが分かり、その結果として、第１音声データＡＤ１は、情報処理手段１６により処理された後、音響的に再生される。
【００４０】
これは、要求された音声データの問題において、ユーザにより所望されたラジオ番組の音響的な再生を可能にするために、インターネットラジオ１がアドレスサーバ６から更新された集合的なアドレス情報ＡＳＩを自動的に検索するという利点を有する。
【００４１】
アドレスサーバ６から更新された集合的なアドレス情報ＡＳＩを検索した後、この集合的なアドレス情報ＡＳＩがすぐに情報サーバメモリ手段１１に記憶されるのではなく、最初にこの集合的なアドレス情報ＡＳＩにより識別される情報サーバから検索される情報データの品質を品質検査手段１５によってチェックされる場合に利点となることに注意すべきである。情報サーバの更新されたインターネットアドレスはその後、検索された情報データの品質値が品質しきい値より上にあることを確認した後でのみ、情報サーバメモリ手段１１に記憶される。
【００４２】
インターネットラジオ１は更に、タイマー手段１８を有し、この手段は、例えば２３：３０のような毎日１回の起動の瞬間に起動情報ＡＫＩを制御手段９に供給する。その後、アドレス検索手段７は、アドレスサーバ６から現在の第１の集合的なアドレス情報ＡＳＩ１を検索し、これを情報サーバメモリ手段１１に記憶する。
【００４３】
現在の集合的なアドレス情報ＡＳＩは、情報サーバメモリ手段１１において定期的に更新されるという利点を有する。従って、ユーザはつい最近初めて情報サーバから利用可能となったこれらのラジオ局を選択することも可能であり、この情報サーバは、アドレスサーバ６によってつい最近集合的なアドレス情報ＡＳＩに含まれたインターネットアドレスを有する。
【００４４】
キーパッド１３のキーを用いて、インターネットラジオ１のエントリモードを起動することが可能である。このエントリモードにおいて、インターネットラジオ１のユーザは、“リアルオーディオ”符号化方法に従って符号化された音声データも検索される情報サーバのインターネットアドレスを手動で入力することが可能である。この手動で入力されたインターネットアドレスは、第１の集合的なアドレス情報ＡＳＩ１に加えて情報サーバメモリ手段１１にも記憶され、ユーザが利用可能であるラジオ局の選択範囲を有利に広げる。
【００４５】
インターネットラジオ１はここで更に、ノイズ生成手段１９を含んでいる。この手段は、品質検査手段１５からの起動情報ＡＫＩが存在するとき、ノイズ情報を情報データ処理手段１６へ供給する。アナログノイズ信号ＲＳは、ノイズ情報として、情報データ処理手段１６に供給され、ノイズ信号ＲＳの増幅後、ここからスピーカ１７へ与えられる。
【００４６】
これは、関連する情報サーバから音声データＡＤが受信されない又は低い品質の音声データＡＤのみが受信される場合、ユーザはフィードバックを受けるという利点を有する。フィードバックを介してインターネットラジオ１によるノイズの再生は、普通のラジオから既にユーザに知られていることが特に利点である。
【００４７】
その上、トランスコーディングサーバ(transcoding server)２０がインターネットＮＥＴに接続され、このトランスコーディングサーバは、情報サーバ５に記憶された第３音声データＡＤ３をトランスコード (transcode)又はリコード(recode)する。このトランスコーディングサーバ２０は、“MP3”符号化方法に従って符号化され、インターネットラジオ１では処理できない第３音声データＡＤ３を、“Real Audio”符号化方法に従って符号化され、インターネットラジオ１で処理できる第４音声データＡＤ４にトランスコードする。このようなトランスコーディングサーバ２０は、例えば欧州特許出願番号第00980114.2号から公知であり、この出願の内容は、参照することにより本明細書の開示に含まれるものとする。
【００４８】
ここでアドレスサーバ６は、この情報はトランスコーディングサーバ２０のインターネットアドレスを含むトランスコーディングアドレス情報ＴＡＩも記憶している。このトランスコーディングアドレス情報ＴＡＩは更に、ラジオ局の名前と、“Real Audio”符号化された音声データＡＤがトランスコーディングサーバ２０の助けを借りてインターネットラジオ１により受信されるこれらの情報サーバのインターネットアドレスとを含んでいる。このトランスコーディングアドレス情報ＴＡＩは、起動情報ＡＫＩが存在し、情報サーバメモリ手段１１に記憶されるとき、集合的なアドレス情報ＡＳＩと一緒にアドレス検索手段７によってアドレスサーバ６から検索される。
【００４９】
本実施例の第３実施例において、ユーザがラジオ局“DE-Radio”の現在のラジオ番組を受信したいと思い、キーパッド１３のキーでこのラジオ局を選択すると仮定する。制御手段は次いで、情報サーバメモリ手段１１から第２の集合的なアドレス情報ＡＳＩ２及びトランスコーディングアドレス情報ＴＡＩを読み取り、ラジオ局“DE-Radio”の名前と同じくトランスコーディングサーバ２０及び第３情報サーバのインターネットアドレスを含む第３検索情報ＡＢＩ３を生成する。この第３検索情報ＡＢＩ３は、インタフェース８、サービスプロバイダ２及びインターネットＮＥＴを介してトランスコーディングサーバ２０に転送される。
【００５０】
第３検索情報ＡＢＩ３の受信時に、トランスコーディングサーバ２０は、本発明に従い“MP3”符号化方法で符号化されたラジオ局“DE-Radio”の第３音声データＡＤ３を連続するデータストリームで受信するために、第２検索情報ＡＢＩ２を第３情報サーバ５に供給する。このトランスコーディングサーバ２０は、受信された第３音声データＡＤ３を復号し、“Real Audio”方法に従ってこれらデータを符号化し、よって得られた符号化された音声データを第４音声データＡＤ４としてインターネットラジオ１に転送する。
【００５１】
従って、インターネットラジオ１は、このインターネットラジオ１を用いて直接処理することができない符号化された音声データＡＤ３として情報サーバから単に利用可能であるラジオ局のラジオ番組を再生することも可能であることが有利に達成される。この結果として、インターネットラジオ１は、大多数のラジオ局を受信することが可能である。
【００５２】
図１は更に、サービスプロバイダ２に接続されたインターネットテレビジョンセット２１を示す。アドレスサーバ６は、第３の集合的なアドレス情報ＡＳＩ３を記憶し、この情報はテレビ局の名前と、これらテレビ局のオーディオ／ビデオデータＡＶＤ及び付加データＺＤを供給する情報サーバのインターネットアドレスとを表す。
【００５３】
インターネットテレビジョンセット２１は、インターネット受信装置を形成し、情報検索手段により検索及び受信されるオーディオ／ビデオデータＡＶＤ及び付加データＺＤを検査し、前記受信されたオーディオ／ビデオデータＡＶＤ及び／又は付加データＺＤの品質が品質しきい値より下に落ち込むとき、又はインターネットテレビジョンセット２１で処理されるオーディオ／ビデオデータＡＶＤ及び／又は付加データＺＤが情報サーバから受信されないとき、起動情報をアドレス検索手段に供給する品質検査手段も含んでいる。従って、上述されたインターネットラジオ１の利点は、インターネットテレビジョンセット２１でも得られる。
【００５４】
図１は、サービスプロバイダ２にも接続されるインターネット読取装置２２も示す。アドレスサーバ６は、第４の集合的なアドレス情報ＡＳＩ４を記憶し、この情報は、株式取引データＢＤ及びニュースデータＮＤを連続して送信することが可能なオンライン情報として供給する情報サーバのインターネットアドレスを表す。
【００５５】
インターネット読取装置２２は、インターネット受信装置を形成し、情報検索手段により検索及び受信される株式取引データＢＤ及びニュースデータＮＤを検査し、前記受信された株式取引データＢＤ及びニュースデータＮＤの品質が品質しきい値より下に落ち込むとき、又はインターネット読取装置２２で処理される株式取引データＢＤ及びニュースデータＮＤが情報サーバから受信されないとき、起動情報をアドレス検索手段に供給する品質検査手段も含んでいる。従って、上述されたインターネットラジオ１の利点は、インターネット読取装置２２でも得られる。
【００５６】
情報サーバメモリ手段及びアドレスサーバメモリ手段は、ＥＥＰＲＯＭ又はハードディスクにより形成されてもよいことに注意されたい。更に、制御手段は、マイクロプロセッサにより形成されてもよく、タイマー手段はマイクロプロセッサのタイマーにより形成されてもよく、情報処理手段は、デジタル信号処理器又は専用の復号装置（例えば、ＭＰ３デコーダ）により形成されてもよい。
【００５７】
アドレスサーバは、任意の企業によって運営されてもよく、この企業は、インターネットラジオ、インターネットテレビジョンセット及びインターネット読取装置の製造業者からアドレスサーバの運営料金を請求することができることに注意すべきである。これは、インターネット上でビジネスを行う興味深い方法を供給する。
【００５８】
情報データは、多くの他の符号化方法に従って符号化されてもよく、例えば“Extendable Markup Language”符号化方法に従って代わりに符号化されてもよいことに注意すべきである。
【００５９】
複数のアドレスサーバのインターネットアドレスは、インターネット受信装置のアドレスサーバメモリ手段に記憶されてもよいことに注意すべきである。起動情報が存在するとき、インターネット受信装置は、情報サーバメモリ手段に記憶される集合的なアドレス情報が低い品質の情報データを受信した情報サーバのインターネットアドレスを含むアドレスから現在の集合的なアドレス情報を検索する。
【００６０】
キーを作動させることで、ユーザは、現在の集合的なアドレス情報ＡＳＩがインターネット受信装置には知られている全てのアドレスサーバから検索され、情報サーバメモリ手段に記憶されるオートストア処理(autostore process)を起動することに注意されたい。このオートストア処理において、既定のラベル（例えば“ニュース”、“ジャズ”…）と一緒に、アドレスサーバに記憶された情報サーバのインターネットアドレスを持つ集合的なアドレス情報のみを前記アドレスサーバから検索することが代わりに可能となる。これは、“ニュース”又は“ジャズ”に関する情報データを提供する情報サーバのインターネットアドレスだけが情報サーバメモリ手段に記憶されるという利点を有する。
【００６１】
このオートストア処理の後、ユーザは、インターネットラジオ１の割り当て処理を起動する。この割り当て処理において、ユーザは、検索された集合的なアドレス情報ＡＳＩに含まれる個々のラジオ局を既定の局のキーに割り当てることが可能である。従って、これらラジオ局は、対応する局のキーの起動を通して、ユーザによって、特に素早く選択されることが可能である。
【図面の簡単な説明】
【図１】  インターネットに接続された情報サーバにより供給されるラジオ局からのラジオ番組を再生することが可能なインターネットラジオを示す。
【図１】
0004667712.tif 000002